(57)【要約】【課題】ファスナーエレメント列を縫い付ける縫い糸を積極的に見せて、スライドファスナーの色彩的なデザイン性を高めることができるスライドファスナーを提供する。【解決手段】一対のファスナーテープ２０と、一対のファスナーテープ２０の対向するテープ側縁部２０ａに縫い糸３３によりそれぞれ縫い付けられ、複数のファスナーエレメント３１を有する一対のファスナーエレメント列３０と、一対のファスナーエレメント列３０を噛合・分離させるスライダー４０と、を備え、縫い糸３３に、一対のファスナーテープ２０と異なる色の糸が使用され、スライドファスナー１０は、ファスナーエレメント列３０が裏側となるように使用され、スライドファスナー１０の表側から縫い糸３３の色が視認可能である。【選択図】図１
0003178628.tif 000002
【実用新案登録請求の範囲】
【請求項１】
一対のファスナーテープ（２０）と、
前記一対のファスナーテープ（２０）の対向するテープ側縁部（２０ａ）に縫い糸（３３）によりそれぞれ縫い付けられ、複数のファスナーエレメント（３１）を有する一対のファスナーエレメント列（３０）と、
前記一対のファスナーエレメント列（３０）を噛合・分離させるスライダー（４０）と、を備えるスライドファスナー（１０）であって、
前記縫い糸（３３）に、前記一対のファスナーテープ（２０）と異なる色の糸が使用され、
前記スライドファスナー（１０）は、前記ファスナーエレメント列（３０）が裏側となるように使用され、
前記スライドファスナー（１０）の表側から前記縫い糸（３３）の色が視認可能であることを特徴とするスライドファスナー（１０）。
【請求項２】
前記ファスナーエレメント列（３０）は、合成樹脂製のモノフィラメントを一定方向に巻回すことにより形成されるコイル状のファスナーエレメント列であることを特徴とする請求項１に記載のスライドファスナー（１０）。
【考案の詳細な説明】
【技術分野】
【０００１】
本考案は、スライドファスナーに関する。
【背景技術】
【０００２】
従来のスライドファスナーとしては、ファスナーテープにコイル状のファスナーエレメント列を縫い付ける縫い糸に、レイボーカラーなどの多色糸を用いるものが知られている（例えば、特許文献１、２参照）。
【先行技術文献】
【特許文献】
【０００３】
【特許文献１】特開平１１−４６８１２号公報
【特許文献２】特開平１１−４６８１３号公報
【考案の概要】
【考案が解決しようとする課題】
【０００４】
しかしながら、特許文献１、２に記載のスライドファスナーでは、スライドファスナーを、ファスナーエレメント列が裏側となるように使用して（以下「裏使い」と言う）、縫い糸の色を見せることについては考慮されていなかった。
【０００５】
本考案は、前述した事情に鑑みてなされたものであり、その目的は、ファスナーエレメント列を縫い付ける縫い糸を積極的に見せて、スライドファスナーの色彩的なデザイン性を高めることができるスライドファスナーを提供することにある。
【課題を解決するための手段】
【０００６】
本考案の上記目的は、下記の構成により達成される。
（１）一対のファスナーテープと、一対のファスナーテープの対向するテープ側縁部に縫い糸によりそれぞれ縫い付けられ、複数のファスナーエレメントを有する一対のファスナーエレメント列と、一対のファスナーエレメント列を噛合・分離させるスライダーと、を備えるスライドファスナーであって、縫い糸に、一対のファスナーテープと異なる色の糸が使用され、スライドファスナーは、ファスナーエレメント列が裏側となるように使用され、スライドファスナーの表側から縫い糸の色が視認可能であることを特徴とするスライドファスナー。
（２）ファスナーエレメント列は、合成樹脂製のモノフィラメントを一定方向に巻回すことにより形成されるコイル状のファスナーエレメント列であることを特徴とする（１）に記載のスライドファスナー。
【考案の効果】
【０００７】
本考案のスライドファスナーによれば、縫い糸に、一対のファスナーテープと異なる色の糸が使用され、スライドファスナーは、ファスナーエレメント列が裏側となるように使用され、スライドファスナーの表側から縫い糸の色が視認可能であるため、ファスナーエレメント列を縫い付ける縫い糸を積極的に見せることができ、スライドファスナーの色彩的なデザイン性を高めることができる。
【図面の簡単な説明】
【０００８】
【図１】本考案に係るスライドファスナーの一実施形態を説明する表面図である。
【図２】図１に示すスライドファスナーの断面図である。
【考案を実施するための形態】
【０００９】
以下、本考案に係るスライドファスナーの一実施形態について、図面を参照して詳細に説明する。なお、以後の説明において、ファスナーテープに関しては、表側とは図１の紙面に対して手前側、裏側とは図１の紙面に対して奥側、上側とは図１の紙面に対して上側、下側とは図１の紙面に対して下側、左側とは図１の紙面に対して左側、右側とは図１の紙面に対して右側とする。スライダーとファスナーエレメントに関しては、上側とは図１の紙面に対して手前側、下側とは図１の紙面に対して奥側、前側とは図１の紙面に対して上側、後側とは図１の紙面に対して下側、左側とは図１の紙面に対して左側、右側とは図１の紙面に対して右側とする。また、ファスナーテープ及びスライダーの左右方向は幅方向とも言う。また、ファスナーテープの上下方向は長さ方向とも言う。
【００１０】
本実施形態のスライドファスナー１０は、図１に示すように、織編製された左右一対のファスナーテープ２０と、左右一対のファスナーテープ２０の対向するテープ側縁部２０ａにそれぞれ設けられ、複数のファスナーエレメント３１を有する左右一対のファスナーエレメント列３０と、左右一対のファスナーエレメント列３０を噛合・分離させるスライダー４０と、左右一対のファスナーエレメント列３０の上端部にそれぞれ設けられる上止部１１と、左右一対のファスナーエレメント列３０の下端部にそれぞれ設けられる開き具１２と、を備える。そして、このスライドファスナー１０は、ファスナーエレメント列３０が裏側となるように、裏使いで服やバッグなどの被着物に取り付けられる。
【００１１】
開き具１２は、右側のファスナーテープ２０のテープ側縁部２０ａの下端部に形成される箱棒１３及び箱体１４と、左側のファスナーテープ２０のテープ側縁部２０ａの下端部に形成され、箱体１４に挿入可能な蝶棒１５と、を備える。なお、開き具１２は、下止部であってもよい。
【００１２】
ファスナーエレメント列３０は、図２に示すように、合成樹脂製のモノフィラメントを一定方向に巻回すことにより形成されるコイル状のファスナーエレメント列であり、複数のファスナーエレメント３１を有している。そして、ファスナーエレメント列３０は、その内部に芯紐３２が挿通され、二重環縫いされる縫い糸３３によってファスナーテープ２０のテープ側縁部２０ａの裏面（下面）に縫い付けられる。また、モノフィラメントの合成樹脂材料としては、ポリエステル及びナイロンなどを挙げることができる。
【００１３】
ファスナーエレメント３１は、相手方のファスナーエレメント３１と噛合・分離する噛合頭部３１ａと、噛合頭部３１ａの上端部から幅方向外側に延びる上脚部３１ｂと、噛合頭部３１ａの下端部から幅方向外側に延びる下脚部３１ｃと、上脚部３１ｂの幅方向外端部と隣り合うファスナーエレメント３１の下脚部３１ｃの幅方向外端部とを連結する連結部３１ｄと、を備える。
【００１４】
スライダー４０は、図１に示すように、胴体４１と、胴体４１の上面に設けられる引手取付部４２と、引手取付部４２に取り付けられる引手４３と、を備える。そして、スライダー４０を上止部１１側に移動することで、左右一対のファスナーエレメント列３０が噛合し、スライダー４０を開き具１２側に移動することで、左右一対のファスナーエレメント列３０が分離する。
【００１５】
そして、本実施形態では、縫い糸３３に、左右一対のファスナーテープ２０と異なる色の糸が使用されており、スライドファスナー１０の表側から縫い糸３３の色が視認可能である。
【００１６】
縫い糸３３の色としては、例えば、赤色、青色、黄色、緑色、水色、白色、黒色、紫色、茶色、ピンク色、橙色、金色、銀色、レインボー色などを挙げることができる。そして、縫い糸３３が薄い色の場合、ファスナーテープ２０は黒色などの濃い色のものが使用され、縫い糸３３が濃い色の場合、ファスナーテープ２０は白色などの薄い色のものが使用されて、コントラストが強調されている。なお、色の組み合わせは任意であり、濃い色同士を組み合わせてもよいし、薄い色同士を組み合わせてもよい。
【００１７】
以上説明したように、本実施形態のスライドファスナー１０によれば、縫い糸３３に、左右一対のファスナーテープ２０と異なる色の糸が使用され、スライドファスナー１０は、ファスナーエレメント列３０が裏側となるように使用され、スライドファスナー１０の表側から縫い糸３３の色が視認可能であるため、縫い糸３３を積極的に見せることができ、スライドファスナー１０の色彩的なデザイン性を高めることができる。
【００１８】
なお、本考案は、上記実施形態に例示したものに限定されるものではなく、本考案の要旨を逸脱しない範囲において適宜変更可能である。
【符号の説明】
【００１９】
１０    スライドファスナー
２０    ファスナーテープ
２０ａ  テープ側縁部
３０    ファスナーエレメント列
３１    ファスナーエレメント
３３    縫い糸
４０    スライダー
【図１】
0003178628.tif 000003
【図２】
0003178628.tif 000004